(57)【要約】【課題】  均一な輝度でかつＬＥＤの出射光の利用効率に優れたバックライト装置を提供する。【解決手段】  導光板１８と、該導光板１８を保持する枠体１０と、該枠体１０に装着される回路基板１６と、導光板１８の受光部となる側面に近接または密接して対向する如く回路基板１６に取り付けられた光源２７と、該光源２７の上方を覆うように設ける遮蔽シート９とを備えたバックライト装置において、枠体１０は、回路基板１６に対して光源２７と反対側の位置に設ける第１の側壁１１と、回路基板１６の両端に対応する位置にそれぞれ設ける第２の側壁と第３の側壁と、各側壁に連接する底部１９とを有し、遮蔽シート９の一端が導光板１８における光源側の一端１８ａに固定され、他端が第１の側壁１１の外壁に固定されると共に該遮蔽シート９と枠体１０の底部とで回路基板１６を狭持したことを特徴とする。【選択図】    図２
2005078917.tif 000002
【特許請求の範囲】
【請求項１】
導光板と、該導光板を保持する枠体と、該枠体に装着される回路基板と、前記導光板の受光部となる側面に近接または密接して対向する如く前記回路基板に取り付けられた光源と、該光源の上方を覆うように設ける遮蔽シートとを備えたバックライト装置において、
前記枠体は、前記回路基板に対して前記光源と反対側の位置に設ける第１の側壁と、前記回路基板の両端に対応する位置にそれぞれ設ける第２の側壁と第３の側壁と、各側壁に連接する底部とを有し、前記遮蔽シートの一端が前記導光板における光源側の一端に固定され、他端が前記第１の側壁の外壁に固定されると共に該遮蔽シートと前記枠体の底部とで前記回路基板を狭持したことを特徴とするバックライト装置。
【請求項２】
前記遮蔽シートは、光遮蔽層と光反射層とを有する積層構造をなし、前記光反射層が前記導光板と対向するように装着されていることを特徴とする請求項１記載のバックライト装置。
【請求項３】
前記遮蔽シートが前記回路基板の上端部の一部に固定されていることを特徴とする請求項１又は請求項２記載のバックライト装置
【請求項４】
前記第２の側壁及び第３の側壁の一方の端部にそれぞれ切欠部を設け、該切欠部によって形成される前記第２の側壁及び第３の側壁のそれぞれの端面に弾性押圧部を設け、前記弾性押圧部により前記回路基板を前記第１の側壁の内面に押圧保持したことを特徴とする請求項１記載のバックライト装置。
【請求項５】
前記弾性押圧部が前記第２の側壁及び第３の側壁のそれぞれの端面から突出する凸部からなり、横断面形状が略半円形形状であることを特徴とする請求項４記載のバックライト装置。  
【請求項６】
前記第１の側壁に切欠部を設け、前記切欠部によって露出された回路基板の表面に前記遮蔽シートが固定されていることを特徴とする請求項１記載のバックライト装置。
【請求項７】
前記第２の側壁及び第３の側壁のそれぞれの端面に前記回路基板両端をガイドするための第４の側壁と第５の側壁とを有し、前記回路基板の両端を前記第４の側壁と第５の側壁とで狭持したことを特徴とする請求項１から請求項６のいずれか１項に記載のバックライト装置。
【請求項８】
前記第２の側壁の端面から突出する突起部を有し、前記回路基板の前記突起部に対応する位置に凹部を設け、該凹部に前記突起部が嵌合されていることを特徴とする請求項１又は請求項４記載のバックライト装置。
【発明の詳細な説明】
【技術分野】
【０００１】
本発明はバックライト装置に係り、特にＬＥＤを光源に用いたサイドライト型のバックライト装置に関する。
【背景技術】
【０００２】
透過型または半透過型液晶表示パネルには、その背面にバックライトが設けられる。このバックライトには、大別して光拡散板などの下に光源を配置した直下型と、導光体の側面に光源を配置したサイドライト型とがある。サイドライト型バックライトは、液晶表示パネルとほぼ同じ大きさに形成された合成樹脂からなる平板状の導光体を備え、その一つの側面が受光面とされ、その受光面に対向して光源が配置される（例えば、特許文献１参照。）。
【０００３】
このように、サイドライト型バックライトは、導光体の側方に光源を配置する構成であるため、直下型バックライトに比べて薄型化が可能であり、また、液晶表示パネルに対する光源の発熱の影響を少なくし得る点で有利であるとされているが、光源で発した光を導光板内に有効に取り込むためには、導光板に対して光源の位置を適正に保持することが重要であリ、これに対応した例が提案されている（例えば、非特許文献１参照。）。
【０００４】
以下、図面を用いて従来技術における液晶表示装置用のバックライト装置の具体的例について説明する。図１１は従来技術における液晶表示装置用のバックライト装置の分解斜視図、図１２は図１１における組み立てられたバックライト装置のＢ−Ｂ断面図である。図１１及び図１２に示すように、このバックライト装置は、上面が開放した箱型の枠体２４内に導光板２８、液晶セル２５及び光源であるＬＥＤ２７を備えている。枠体２４は第１収容部２４ａと第２収容部２４ｂとを備え、第１収容部２４ａに導光板２８、光拡散シート３１、液晶セル２５が順次積層形成され、第２収容部２４ｂにＬＥＤ２７を実装した回路基板２６が組み込まれている。この第２収容部２４ｂには、底面２２ａの端部にＬＥＤ２７を実装した回路基板２６を立てた状態で支持する取付溝３３及びガイド溝３４が形成されている。また、第２収容部２４ｂに組み込まれた回路基板２６の上端部には、遮光壁３２が第２収容部２４ｂの上方に配設されている。
【０００５】
導光板２８は、透明なアクリル材で形成された薄板で、第１収容部２４ａのスペース内に適合するサイズに形成されており、その一側面にはＬＥＤ２７を入れるために湾曲状に凹設した受光部２９が形成されている。また、導光板２８の両側面にはそれぞれフック３５が突出形成され、このフック３５を枠体２４の段部の両側面に予め形成された溝部３６に嵌め合うことで、枠体２４に位置決め固定される。
【０００６】
枠体２４の第２収容部２４ｂに組み込まれる回路基板２６は、ガラスエポキシ基板やシート状のフレキシブル基板を使用することができ、図１３（ａ）に示すように、下端に突出部３９を備えた実装部４４と、回路配線部４０とで一体形成されている。突出部３９の幅は実装するＬＥＤ２７が収まるような寸法で形成されており、ＬＥＤ２７は突出部３９の上方に実装される。回路配線部４０は、枠体２４の段部２２ｃに載置され、枠体２４に設けた切欠部４１から突出させて図示しない外部装置に接続される。回路配線部４０からは配線がＬＥＤ２７に向かって形成されている。また、突出部３９に近い回路基板２６の一端部にはガイド突起３８が設けられている。この回路基板２６は図１３（ｂ）に示すように、枠体２４の底面２２ａの端部に開設された取付溝３３とガイド溝３４に突出部３９とガイド突起３８を嵌め込んで位置決めされ、枠体２４の側壁２３ｂと図１１に示した導光板２８の受光部２９との間に挟まれて固定される。さらに、図１１及び図１２に示したように、回路基板２６が枠体２４と遮光壁３２によって光漏れを防止する構造となっている。
【０００７】
【特許文献１】特開２００２−３５７８２３号公報（第２頁、図１−２）
【非特許文献１】特願２００２−０７８８２８号（第４−６頁、図１−３）
【発明の開示】
【発明が解決しようとする課題】
【０００８】
しかしながら、従来技術におけるバックライト装置は枠体の取付溝３３とガイド溝３４に回路基板の突出部３９とガイド突起３８を嵌め込んで位置決めされるため、ガイド溝３４のサイズはガイド突起３８の外形より若干大きく形成される。このため枠体や回路基板の寸法公差で、ガイド溝３４とガイド突起３８のとの間に隙間が生じ、導光板と光源であるＬＥＤとの位置ずれが発生する場合がある。特に上下方向は動き易く輝度むらが発生する場合があった。
【０００９】
（発明の目的）
本発明の目的は、上記従来技術における課題を解決して枠体に配置された導光板の受光部に光源からの光を効率よく照射するように前記光源の発光面を適正位置に配置し固定することによって、均一な輝度でかつＬＥＤの出射光の利用効率に優れたバックライト装置を提供することにある。
【課題を解決するための手段】
【００１０】
上記目的を達成するための本発明のバックライト装置は、導光板と、該導光板を保持する枠体と、該枠体に装着される回路基板と、導光板の受光部となる側面に近接または密接して対向する如く回路基板に取り付けられた光源と、該光源の上方を覆うように設ける遮蔽シートとを備えたバックライト装置において、枠体は、回路基板に対して光源と反対側の位置に設ける第１の側壁と、回路基板の両端に対応する位置にそれぞれ設ける第２の側壁と第３の側壁と、各側壁に連接する底部とを有し、遮蔽シートの一端が導光板における光源側の一端に固定され、他端が第１の側壁の外壁に固定されると共に該遮蔽シートと枠体の底部とで回路基板を狭持したことを特徴とする。
【００１１】
また、遮蔽シートは、光遮蔽層と光反射層とを有する積層構造をなし、光反射層が導光板と対向するように装着されていることを特徴とする。
【００１２】
また、遮蔽シートが回路基板の上端部の一部に固定されていることを特徴とする。
【００１３】
また、第２の側壁及び第３の側壁の一方の端部にそれぞれ切欠部を設け、該切欠部によって形成される第２の側壁及び第３の側壁のそれぞれの端面に弾性押圧部を設け、弾性押圧部により回路基板を第１の側壁の内面に押圧保持したことを特徴とする。
【００１４】
また、弾性押圧部が第２の側壁及び第３の側壁のそれぞれの端面から突出する凸部からなり、横断面形状が略半円形形状であることを特徴とする。  
【００１５】
また、第１の側壁に切欠部を設け、切欠部によって露出された回路基板の表面に遮蔽シートが固定されていることを特徴とする。
【００１６】
また、第２の側壁及び第３の側壁のそれぞれの端面に回路基板両端をガイドするための第４の側壁と第５の側壁とを有し、回路基板の両端を第４の側壁と第５の側壁とで狭持したことを特徴とする。
【００１７】
また、第２の側壁の端面から突出する突起部を有し、回路基板の突起部に対応する位置に凹部を設け、該凹部に突起部が嵌合されていることを特徴とする。
【発明の効果】
【００１８】
以上のように本発明のバックライト装置は回路基板の上端を当接保持し導光板の一端から第１の側壁の外壁に延びる遮光シートを設けることにより上方向の光漏れを有効に防止すると共に、回路基板を安定した状態で固定することができる。さらに、枠体の第２、第３の側壁に回路基板を固定するための弾性押圧部及び第４、第５を設けることにより、枠体や回路基板の出来上がり寸法のばらつきに関係なく回路基板を安定して固定できるため、導光板に対してＬＥＤの位置を適正な位置に配置、固定することができる。この結果、バックライトの輝度むらが低減され、ＬＥＤの出射光の有効利用を図ることができる。
また、構造が簡単であり、低価格のバックライト装置を提供することができる。
【発明を実施するための最良の形態】
【００１９】
（第１の実施形態）
以下、本発明の第１の実施形態について図１、図２、図３、図４、図５、図６を参照して詳細に説明する。図１は本実施形態におけるバックライト装置の一部を示す斜視図、図２は図１におけるＡ−Ａ断面図、図３はバックライト装置の一部を示す平面図、図４は枠体の一部を示す斜視図、図５は導光板を示す斜視図、図６は回路基板を示す斜視図である。本実施形態におけるバックライト装置は枠体に回路基板を取り付ける構造が従来例と異なっており基本構造は従来例におけるバックライト装置に類似している。従って、枠体に回路基板を取り付ける構造について詳細に説明し、その他の従来例と同様な構成については説明を省略する。
【００２０】
本実施形態におけるバックライト装置は図１、図２、図３に示すように上面が開放した箱型の枠体１０に、液晶セル２５の下方に配置される導光板１８と、導光板１８の受光部となる側面に近接または密接して対向する如く回路基板１６に取り付けられた光源としてのＬＥＤ２７と、該ＬＥＤ２７の上方を覆うように設ける遮蔽シート９とを備えている。枠体１０は回路基板１６のＬＥＤ２７が装着されている面と反対側の面が密着保持されるように設ける第１の側壁１１と、回路基板１６の左右両端側の位置にそれぞれ設ける第２の側壁１２と第３の側壁１３と、各側壁に連接する底部１９とを備えている。第２の側壁１２及び第３の側壁１３には、回路基板１６が配置される側の端部にそれぞれ切欠部１７ａ、１７ｂを設け、この切欠部１７ａ、１７ｂによって形成される第２の側壁１２及び第３の側壁１３のそれぞれの端面に回路基板１６を押圧保持するための弾性押圧部１２ａ、１３ａが設けられている。遮蔽シート９は、その一端が導光板１８におけるＬＥＤ２７側の一端に形成されている斜面１８ａに固定され、ＬＥＤ２７の上方を覆うように第１の側壁１１の方向に延長され、固定基板１６の上端に当接すると共に遮光シート９の他端が第１の側壁１１の外壁に固定されている。このように、回路基板１６は、遮蔽シート９と枠体１０の底部１９とで狭持されように配置されると共に、弾性押圧部１２ａ、１３ａにより第１の側壁１１の内壁面に密着するように押圧保持されている。
【００２１】
また、遮蔽シート９は、幅が導光板１８の幅とほぼ同じ値に設定されており、光遮蔽層と光反射層とを有する積層構造をなし、光反射層が導光板９対向するように装着されている。回路基板１６が第１の側壁１１の内壁と、第２、第３の側壁１２、１３にそれぞれ設ける弾性押圧部１２ａ、１３ａとの間に装着された状態において、遮蔽シート９は、その一端が導光板１８におけるＬＥＤ２７側の一端に形成されている斜面１８ａに粘着剤で固定され、第１の側壁１１の方向に延長され回路基板１６の上端及び第１の側壁１１の切欠部１１ａに当接し粘着剤で固定される。更に延長された遮蔽シート９は第１の側壁１１の外壁に粘着剤で固定される。
【００２２】
導光板１８には図５に示すように、上面から光源２７側の端部に向かって高さが高くなるように延長されている斜面部１８ａが設けられている。この斜面部１８ａが形成されている導光板１８の端部の高さは、枠体１０に装着されている回路基板１６の高さと略等しいか、若干低い値に設定されている。また、第１の基板１１の上部には、切欠部１１ａが設けられており、切欠部１１ａの幅は遮蔽シート９の幅よりやや大きい値に設定されている。また、枠体１０の底部１９から切欠部１１ａまでの高さと、枠体１０に装着されている回路基板１６の高さの値が略等しいか、若干低い値に設定されている。これによって、回路基板１６は遮蔽シート９によって下方に押圧され、枠体１０の底部１９と遮蔽シート９とによって狭持され固定され、回路基板１６の寸法にばらつきが生じた場合にも遮蔽シート９の弾性によって対応が可能であり、回路基板１６を確実に保持することができる。
【００２３】
図４（ａ）は枠体の一部を示し、図４（ｂ）は弾性押圧部１２ａ、１３ａの形状を分かりやすくするため、図４（ａ）における第１の側壁１１の一部を省略して描いてある。図４に示すように、第２の側壁１２及び第３の側壁１３に設ける弾性押圧部１２ａ、１３ａは、第２の側壁１２、第３の側壁１３のそれぞれの端面から突出する凸部からなり横断面形状が略半円形形状で、端面の上部から下部までの全長に亘って設けられている。また、この弾性押圧部１２ａ、１３ａは、回路基板１６の両端の近傍に位置し、遮蔽シート９の両側でその外側に設けられている。また、弾性押圧部１２ａ、１３ａの先端と第１の側壁１１の内壁面との距離は、回路基板１６の厚さと略一致し、やや小さい値に設定されている。これによって、回路基板１６の厚さのばらつきに対して弾性押圧部１２ａ、１３ａである略半円形形状の凸部の頂点の部分が弾性変形することによって対応し、回路基板１６を第１の側壁１１の内壁面に確実に押圧保持することができる。
【００２４】
さらに、回路基板１６の両端のそれぞれの近傍に回路基板１６の両端をガイドするための第４の側壁１４と第５の側壁１５とが設けられており、第４の側壁１４の内壁と第５の側壁１５の内壁との間の距離は、この内壁間に収納される回路基板１６の長さと略一致するように設定されている。これによって回路基板１６の左右方向の動きが規制されている。第４の側壁１４の一端は第１側壁１１の一方の端部と連接し、他端は第２の側壁１２と連接して設けられている。同様に第５の側壁１５の一端は第１側壁１１の他方の端部と連接し、他端は第３の側壁１２に連接して設けられている。また、第４の側壁１４の高さは第２の側壁１２と同じ高さで良いが、第５の側壁１５の高さは第３の側壁１３の高さと比較して低い値に設定する。第５の側壁１５の高さは回路基板１６をガイドするために必要な高さを確保出来ればよく、この回路基板１５の上方に設ける隙間は、回路基板１６に接続されているリード線の取り出し口となっている。
尚、回路基板１６は図６に示すように長方形の形状をなし所定の位置に光源としてのＬＥＤ２７が１個搭載された構造で従来例と基本的に類似している。また、その他の構成についても従来例とほぼ同様であるため説明を省略する。
【００２５】
以上のように本実施形態のバックライト装置によれば、ＬＥＤ２７を搭載した回路基板１６の上端を当接保持し導光板１８の一端から第１の側壁１１の外壁に延びる遮光シート９を設けることにより上方向の光漏れを有効に防止すると共に、回路基板１６が前後、左右、上下方向共に枠体１０に確実に固定され、適正な位置を確保することができる。また、外部からの衝撃、振動等の外力の作用に対しても強く、安定した固定力を有する。従って、導光板１８に対する位置が適正に保持され、輝度むらが低減されＬＥＤ２７の出射光の有効利用を図ることができる。
【００２６】
（第２の実施形態）
以下、本発明の第２の実施形態について図７、図８を参照して説明する。図７は本実施形態におけるバックライト装置の一部を示す断面図、図８は枠体の一部を示す斜視図である。本実施形態におけるバックライト装置は、第１の側壁に切欠部を設け、切欠部によって露出された回路基板の表面に遮蔽シートが固定されている点が第１の実施形態と異なる点であり、その他は第１実施形態と同様である。従って、第１の実施形態と同一の構成要素については同一番号を付与し説明を省略する。
【００２７】
本実施形態におけるバックライト装置は、回路基板１６が第１の側壁１１の内壁と、第２、第３の側壁１２、１３にそれぞれ設ける弾性押圧部１２ａ、１３ａとの間に装着され、その後遮蔽シート９を装着し、回路基板  が枠体１０に固定される点は第１の実施形態と同様である。図７、図８に示すように本実施形態におけるバックライト装置は、第１側壁１１に切欠部１１ｂが設けられており、この切欠部１１ｂによって回路基板１６の表面の一部が露出されるようになっている。遮蔽シート９は、その一端が導光板１８の一端に形成されている斜面１８ａに粘着剤で固定され、第１の側壁１１の方向に延長され回路基板１６の上端に当接し粘着剤で固定されると共に、第１側壁１１の切欠部１１ｂによって露出された回路基板１６の表面に沿って折り曲げられ且つ粘着剤で固定される。さらに延長された遮蔽シート９は切欠部１１ｂに当接固定され、その他端は第１の側壁１１の外壁に粘着剤で固定される。これによって、回路基板１６は遮蔽シート９によって下方に押圧され、枠体１０の底部１９と遮蔽シート９とによって狭持され固定され、回路基板１６の寸法にばらつきが生じた場合にも遮蔽シート９の弾性によって対応が可能であり、回路基板１６を確実に保持することができる。
【００２８】
以上のように、本実施形態においても第１の実施形態と同様の効果を得ることができる。さらに、本実施形態においては遮蔽シート９の一部が切欠部１１ｂによって露出された回路基板１６の表面にも粘着剤で固定されているため、回路基板１６をより確実に保持することができる。
【００２９】
尚、各実施形態においては、回路基板１６の左右両側の位置を規制するために第４の側壁１４、第５の側壁１５を設けた例で説明したが、図９に示すように第２の側壁１２の端面における高さ方向の中央付近から突出する突起部１４ａを設け、図９（ｂ）に示すように回路基板１６の一端で突起部１４ａに対応する位置に凹部１６ａを設け、図９（ｃ）に示すように凹部１６ａに突起部１４ａを嵌合させても良い。この場合、第１の側壁１１における第２の側壁１２に対応する端部に切欠部１１ｃを設けることが好ましく、回路基板１６を枠体１０にの装着する場合に有用である。また、第５の側壁１５は第１の実施形態と同様で良い。また、突起部１４ａの内側と第５の側壁１５の内壁との間の距離は、この間に収納される回路基板１６の一端と他端の凹部１６ａの端面１６ｂとの長さと略一致するように設定されている。また、突出部１４ａの幅、厚さ、突出する長さは適度な強度と弾性を有するように設定されており、これによって回路基板１６の左右の動きが規制される。
【００３０】
次に、本例における回路基板１６を枠体１０に装着する方法について図１０を用いて説明する。まず、図１０（ａ）に示すように回路基板１６を枠体１０に装着された状態における第１の側壁１１の切欠部１１ｃに対応する位置から外側の部分をＬＥＤ２７が実装されている側と反対の方向に曲げて弾性変形させる。次に、図１０（ｂ）に示すように回路基板１６を枠体１０の上方から下方（図中矢印Ａの方向）に移動させ、第１の側壁１１と弾性押圧部１２ａ、１３ａとの間に差し込む。この時、回路基板１６の曲げられた部分は第１側壁１１の切欠部１１ｃから枠体１０の外側に突出している。さらに、回路基板１６を下方に押し下げ枠体１０の底部１９に回路基板１６の下面１６ｃを当接させる。その後、回路基板１６の変形させた部分を弾性を利用して元の状態に戻し、図９（ｃ）に示すように第２の側壁１２の突起部１４ａに回路基板１６の凹部１６ａを嵌合させ、回路基板１６を枠体１０に装着する。また、回路基板１６を枠体１０から取り外すときは、逆の手順で簡単に取り外すことができる。尚、本例においても前述の各実施形態と同様の効果を得ることができる。
【００３１】
尚、実施形態において、弾性押圧部は横断面形状が略半円形形状の凸部で端面の上部から下部までの全長に亘って設けた例で説明したが、部分的に分けて設けても良い。又形状についても、半円形に限定されるものではなく適正な弾性を有する形状で有ればよい。
また、光源としてのＬＥＤについても、１個搭載した例で説明したが、２個以上搭載する場合においても、同様の効果を得ることができる。
【産業上の利用可能性】
【００３２】
本発明のバックライト装置は、携帯電話や携帯情報端末等の小サイズに限らず比較的大サイズの液晶パネルにも適用できる。
【図面の簡単な説明】
【００３３】
【図１】本発明の第１の実施形態におけるバックライト装置の一部を示す斜視図である。
【図２】図１におけるＡ−Ａ断面を示す図である。
【図３】本発明の第１の実施形態におけるバックライト装置を示す平面図である。
【図４】本発明の第１の実施形態におけるバックライト装置の枠体を示す斜視図である。
【図５】本発明の第１の実施形態における導光板を示す斜視図である。
【図６】本発明の第１の実施形態における回路基板を示す斜視図である。
【図７】本発明の第２の実施形態におけるバックライト装置の一部を示す断面図である。
【図８】本発明の第２の実施形態におけるバックライト装置の枠体を示す斜視図である。
【図９】本発明の実施形態における他の例のバックライト装置を示す斜視図である。
【図１０】本発明の実施形態における他の例のバックライト装置と回路基板の装着方法を示す図である。
【図１１】従来の液晶表示装置用のバックライト装置の全体構成を説明する分解斜視図である。
【図１２】従来の液晶表示装置用のバックライト装置の全体構成を説明する断面図である。
【図１３】従来の回路基板と枠体の一部を示す斜視図である。
【符号の説明】
【００３４】
９    遮蔽シート
１０  枠体
１１  第１の側壁
１１ａ  切欠部
１１ｂ  切欠部
１１ｃ  切欠部
１２  第２の側壁
１２ａ  弾性押圧部
１３  第３の側壁
１３ａ  弾性押圧部
１４  第４の側壁
１４ａ  突起部
１５  第５の側壁
１６  回路基板
１６ａ 凹部
１６ｂ  凹部の壁
１７ａ、１７ｂ  切欠部
１８  導光板
１８ａ  導光板の斜面部
１９  枠体の底部
２０  枠体
２２ａ  底部
２２ｃ  段部
２３ｂ  側壁
２４  枠体
２４ａ  第１収容部
２４ｂ  第２収容部
２５  液晶セル
２６  回路基板
２７  ＬＥＤ
２８  導光板
２９  受光部
３１  光拡散シート
３２  遮光壁
３３  取付溝
３４  ガイド溝
３５  フック
３６  溝部
３８  ガイド突起
３９  突出部
４０  回路配線部
４１  切欠部
４４  実装部
【図１】
2005078917.tif 000003
【図２】
2005078917.tif 000004
【図３】
2005078917.tif 000005
【図４】
2005078917.tif 000006
【図５】
2005078917.tif 000007
【図６】
2005078917.tif 000008
【図７】
2005078917.tif 000009
【図８】
2005078917.tif 000010
【図９】
2005078917.tif 000011
【図１０】
2005078917.tif 000012
【図１１】
2005078917.tif 000013
【図１２】
2005078917.tif 000014
【図１３】
2005078917.tif 000015